(57)【要約】      （修正有）【課題】空き缶を利用してその表面に印刷されている商品名やメーカー名を宣伝することができるポールを提供する。【解決手段】所要位置に、まず基台２をボルトＢで固定する。その後、雌ネジ３ａに支持軸５の下端の雄ネジ部５ａを螺設して立設する。つづいて、各空き缶４（例えば、飲料用等）を支持軸５の上方より通孔４ｂを通して挿入する。そして、上端の雄ネジ部５ａに押圧板６を挿入し、ナットＮにて固定することにより各空き缶４を下方に押圧し、強固に支持する。なお、必要に応じてチェーンフック６ａにチェーンを取り付ける。【選択図】図１
0003155240.tif 000002
【実用新案登録請求の範囲】
【請求項１】
空き缶を立設すべく、基台に、空き缶を支持する支持軸を設けると共に、空き缶内に通孔を穿設してなる支持体を設けてなることを特徴とする空き缶ポール。
【請求項２】
基台に、最下段の空き缶を保持する保持部を設けてなることを特徴とする請求項１記載の空き缶ポール。
【請求項３】
基台に、スプリングを設けてなることを特徴とする請求項１又は２記載の空き缶ポール。
【請求項４】
空き缶の周囲を保護する保護体を設けてなることを特徴とする１，２又は３記載の空き缶ポール。
【請求項５】
最上段の空き缶の上面を押圧する押圧板を設けてなることを特徴とする請求項１，２，３又は４記載の空き缶ポール。
【請求項６】
押圧板にチェーンフックを設けてなることを特徴とする請求項５記載の空き缶ポール。
【考案の詳細な説明】
【技術分野】
【０００１】本考案は、空き缶を利用した宣伝効果を期待できるポールに関するものである。
【背景技術】
【０００２】従来の技術として、空き缶等の産業廃棄物を利用して、ダンベル、鉄アレー、手首リスト補強具等様々な運動具となり、重量調整が容易で、重量調整しても内容物が乱舞することなく、誰でも容易に組立られ、運動具として使用しないときは、花瓶、ローラーマッサージ用具、ポール立て、物干し立て台、植木棚台、貯金箱、また、災害用食料保存容器として用いることができる多機能簡易組立運動具がある。（特許文献１参照）
【先行技術文献】
【特許文献】
【０００３】
【特許文献１】  登録実用新案  第３０２０６６０号  公報
【考案の概要】
【考案が解決しようとする課題】
【０００４】上記従来技術は、ストッパーを固着したシャフトを挿通し、容器内に錘を充填すれば、シャフトの筒部を国旗等のポール立てとして使用できるものであるが、本考案のように、宣伝広告として使用するものではなく、構造的にもまったく異なるものであり、本考案の機能・効果を有していない。【０００５】本考案は、上記の問題点を解決するもので、空き缶の表面に印刷されている商品名やメーカー名を主に宣伝するものであり、ポールとしての機能も有するものである。
【課題を解決するための手段】
【０００６】本考案は、空き缶を立設すべく、基台に、空き缶を支持する支持軸を設けると共に、空き缶内に通孔を穿設してなる支持体を設けてなる。基台に、最下段の空き缶を保持する保持部を設けてなる。基台に、スプリングを設けてなる。空き缶の周囲を保護する保護体を設けてなる。最上段の空き缶の上面を押圧する押圧板を設けてなる。押圧板にチェーンフックを設けてなる。
【考案の効果】
【０００７】１）、例えば、オイルの空き缶を立設し、ガソリンスタンド回りにポールとして使用することにより、宣伝効果に加え、ポールとしての機能を有する。
２）、保持部を設けることにより、安定して空き缶を保持できる。
３）、基台に、スプリングを設けることにより、空き缶に当っても倒れることなく使用できる。
４）、保護体を設けることにより、特に透明なものであれば、空き缶の文字やデザインが汚れることなくよく見え、傷付きにくい。
５）、環境に優しく、リサイクルビジネスとしても確立できる。
【図面の簡単な説明】
【０００８】
【図１】  本考案の第１実施例を示す空き缶ポールの一部縦断正面図。
【図２】  本考案の第２実施例を示す空き缶ポールの一部縦断正面図。
【考案を実施するための形態】
【０００９】１は、空き缶ポールである。
２は、四角形あるいは円形の基台で、少なくとも３箇所に取付孔２ａを穿設してある。
３は、上記基台２の中心に突設してなる円柱状の保持部で、上面中心に雌ネジ部３ａを形設してある。
４は、空き缶で、上面と下面を開口し、内部に発泡スチロール（発泡ウレタン）等による支持体４ａを内設し、中心に通孔４ｂを穿設してある。
５は、上記支持体４ａの通孔４ｂに連通する支持軸で、両端に雄ネジ部５ａ・５ａを形設し、下端を上記保持部３の雌ネジ３ａに螺設してある。
６は、最上段の空き缶４の上面を押圧する押圧板で、ナットＮを上端の雄ネジ部５ａに螺設してなり、必要に応じてチェーンフック６ａを設ける。
７は、空き缶４−−−の周囲（外周）を保護するチューブ状で熱収縮性樹脂による保護体である。
【００１０】  上記空き缶ポール１の使用例について説明する。
例えば、店の駐車場Ｔの所要位置に、まず基台２をボルトＢで固定する。
その後、雌ネジ３ａに支持軸５の下端の雄ネジ部５ａを螺設して立設する。
つづいて、各空き缶４−−−（例えば、飲料メーカー等）を支持軸５の上方より通孔４ｂを通して挿入する。
そして、上端の雄ネジ部５ａに押圧板６を挿入し、ナットＮにて固定することにより各空き缶４−−−下方に押圧し、強固に支持するものである。
なお、必要に応じてチェーンフック６ａにチェーン（図示せず）を取り付けるものである。
【００１１】  つぎに、第２実施例の空き缶ポールについて説明する。
２１は、空き缶ポールである。
２２は、四角形あるいは円形の上板２２ａと下板２２ｂの間にガイド２２ｃ−−−と連設したスプリング２２ｄ−−−を設けてある。
なお、ガイド２２ｃ及びスプリング２２ｄは、一例として、外周に３箇所、中央に１箇所設けてあり、雌ネジ部２２ｃ１を穿設してある。
また、上板２２ａの上面に、最下段の空き缶を保持する円筒状の保持部２３を形設してある。
２４は、空き缶で、前記と同様な支持体２４ａを設けると共に、通孔２４ｂを穿設してある。
２５は、上記と同様な支持軸で、両端に雄ネジ部２５ａ・２５ａを形設してある。
２６は、最上段の空き缶２４の上面を押圧する押圧板で、ナットＮ１を上端の雄ネジ部２５ａに螺設してある。
【００１２】  上記空き缶ポール２１の使用例について説明する。
例えば、ガソリンスタンドＧの所要位置（適宜、穴を掘る）に、まず、基台２２をボルトＢ１にて固定する。
つぎに、雌ネジ部２２ｃ１に支持軸２５の下端の雄ネジ部２５ａを螺設して立設する。
つづいて、各空き缶２４−−−（例えば、１ｌのオイル缶等）を支持軸２５の上方より通孔２４ｂを通して挿入する。
この時、最下段の空き缶２４は保持部２３にて保持される。
そして、上端の雄ネジ部２５ａに押圧板２６を挿入し、ナットＮ１にて固定する。
なお、この空き缶ポール２１は、車や人が当ってもスプリング２２ｄで前後左右に倒れることにより、破損や怪我を防止することができる。
【００１３】  上記各実施例において、空き缶は特に限定することなく、宣伝効果を期待できるものを使用すればよい。
また、基台や支持軸等の大きさや材質は、特に限定しない。
さらに、使用場所等は特に限定するものではない。
さらにまた、空き缶の使用数等は必要に応じて決めればよい。
【符号の説明】
【００１４】１−−−−−空き缶ポール
２−−−−−基台
２ａ−−−−取付孔
３−−−−−保持部
３ａ−−−−雌ネジ部
４−−−−−空き缶
４ａ−−−−支持体
４ｂ−−−−通孔
５−−−−−支持軸
５ａ−−−−雄ネジ部
６−−−−−押圧板
Ｎ−−−−−ナット
６ａ−−−−チェーンフック
７−−−−−保護体
Ｔ−−−−−駐車場
Ｂ−−−−−ボルト
２１−−−−空き缶ポール
２２−−−−基台
２２ａ−−−上板
２２ｂ−−−下板
２２ｃ−−−ガイド
２２ｄ−−−スプリング
２２ｃ１−−雌ネジ部
２３−−−−保持部
２４−−−−空き缶
２４ａ−−−支持体
２４ｂ−−−通孔
２５−−−−支持軸
２５ａ−−−雄ネジ部
２６−−−−押圧板
Ｎ１−−−−ナット
Ｇ−−−−−ガソリンスタンド
Ｂ１−−−−ボルト
【図１】
0003155240.tif 000003
【図２】
0003155240.tif 000004